(57)【要約】【課題】微細気泡を容易にかつ効率良く発生させることができる微細気泡発生装置を提供すること。【解決手段】本発明の微細気泡発生装置１０は、処理槽１１内の液体Ｗ１中に微細気泡Ｗ３を発生させる装置である。微細気泡発生装置１０は、気泡発生手段２１と昇温手段３１とを備える。気泡発生手段２１は、液体Ｗ１中に微細気泡Ｗ３を発生させる。昇温手段３１は、気泡発生手段２１によって微細気泡Ｗ３を発生させる期間内において、液体Ｗ１の温度を徐々に上昇させる。【選択図】図１
2020025912.tif 000002
【特許請求の範囲】
【請求項１】
処理槽内の液体中に微細気泡を発生させる微細気泡発生装置であって、
前記液体中に前記微細気泡を発生させる気泡発生手段と、
前記気泡発生手段によって前記微細気泡を発生させる期間内において、前記液体の温度を徐々に上昇させる昇温手段と
を備えることを特徴とする微細気泡発生装置。
【請求項２】
前記昇温手段は、前記処理槽内の前記液体の温度を上昇させるヒータであることを特徴とする請求項１に記載の微細気泡発生装置。
【請求項３】
前記昇温手段は、昇温時の温度勾配が１．９℃／時間以上１０℃／時間以下となる範囲内で前記液体の温度を上昇させることを特徴とする請求項１または２に記載の微細気泡発生装置。
【請求項４】
前記昇温手段は、前記液体の温度が液相の状態を維持する温度であるときに前記液体の温度を上昇させることを特徴とする請求項１乃至３のいずれか１項に記載の微細気泡発生装置。
【請求項５】
前記気泡発生手段は、上流側面及び下流側面を連通する多数の細孔を有し、前記細孔を介して前記上流側面から前記下流側面に向けて気体を通過させることにより、前記下流側面に接触する前記液体中に前記微細気泡を発生させる多孔体であることを特徴とする請求項１乃至４のいずれか１項に記載の微細気泡発生装置。
【請求項６】
請求項１乃至５のいずれか１項に記載の微細気泡発生装置を用いて微細気泡を発生させる方法であって、
前記気泡発生手段によって前記液体中に前記微細気泡を発生させる微細気泡発生工程を含み、
前記微細気泡発生工程中に、前記昇温手段によって前記液体の温度を徐々に上昇させる昇温工程を行う
ことを特徴とする微細気泡の発生方法。
【請求項７】
前記微細気泡発生工程において発生した前記微細気泡の直径は１μｍ未満であることを特徴とする請求項６に記載の微細気泡の発生方法。
【請求項８】
請求項１乃至５のいずれか１項に記載の微細気泡発生装置と、
前記処理槽内の前記液体の温度を測定する温度センサと、
前記温度センサによって測定された前記温度に基づいて、前記液体を昇温させる際の温度勾配が特定の範囲内となるように前記昇温手段を制御する温度制御手段と
を備えることを特徴とする微細気泡発生システム。
【発明の詳細な説明】
【技術分野】
【０００１】
本発明は、処理槽内の液体中に微細気泡を発生させる微細気泡発生装置及び微細気泡発生システム、微細気泡発生装置を用いて微細気泡を発生させる方法に関するものである。
【背景技術】
【０００２】
従来、直径１μｍ〜１００μｍ程度の気泡であるマイクロバブルが知られているが、それよりもさらに細かい直径１μｍ以下の気泡に対して近年注目が集まっている。このような気泡はウルトラファインバブル（ＵＦＢ：Ultrafine-Bubble）あるいはナノバブルと呼ばれており、例えば、洗浄、農業、水産業、医療等の様々な分野で利用が拡大しつつある。
【０００３】
また、近年、微細気泡をより効率良く発生させるための技術が種々提案されている（例えば、特許文献１，２参照）。特許文献１には、水温調節手段によって気泡含有水の温度を低下させることにより、気泡の直径を収縮させて微小気泡（微細気泡）を得る技術が開示されている。また、特許文献２には、気泡生成手段に供給する気体を加熱したり気液接触槽内の液体を冷却したりすることにより、多量の微細気泡を発生させる技術が開示されている。
【先行技術文献】
【特許文献】
【０００４】
【特許文献１】特開２０１５−８０７５６号公報（［００１１］，［００１５］等）
【特許文献２】特開２００８−１６８２２１号公報（［００１０］〜［００１３］等）
【発明の概要】
【発明が解決しようとする課題】
【０００５】
しかしながら、特許文献１に記載の従来技術は、既に液体中に含まれている気泡の直径を小さくして微細気泡を得る技術であるため、微細気泡の発生量自体を増大させることはできないという問題がある。なお、特許文献２に記載の従来技術では、微細気泡の発生量自体は増大する。しかし、特許文献２は、気体の温度を液体の温度よりも高くすることで微細気泡を発生させる技術であるため、気体及び液体の両方の温度の管理が必要となり、手間が掛かるという問題がある。
【０００６】
本発明は上記の課題を鑑みてなされたものであり、その目的は、微細気泡を容易にかつ効率良く発生させることができる微細気泡発生装置、微細気泡の発生方法、微細気泡発生システムを提供することにある。
【課題を解決するための手段】
【０００７】
上記課題を解決するための手段（手段１）としては、処理槽内の液体中に微細気泡を発生させる微細気泡発生装置であって、前記液体中に前記微細気泡を発生させる気泡発生手段と、前記気泡発生手段によって前記微細気泡を発生させる期間内において、前記液体の温度を徐々に上昇させる昇温手段とを備えることを特徴とする微細気泡発生装置がある。
【０００８】
従って、上記手段１に記載の発明では、気泡発生手段が微細気泡を発生させる期間内において、昇温手段が液体の温度を徐々に上昇させることにより、液体における気体の溶解度が低下し、気体が液体中に気泡として析出すると推測されるため、多量の微細気泡を効率良く発生させることができる。また、微細気泡を発生させる際に、液体の温度のみを管理すればよく、微細気泡となる気体の温度は管理しなくても済むため、微細気泡を容易に発生させることができる。
【０００９】
ところで、液体中に発生しうる気泡は、直径が１００μｍよりも大きい気泡であるミリバブル、直径が１００μｍ以下であるものの１μｍよりは大きい気泡であるマイクロバブル、直径が１μｍ以下の気泡であるウルトラファインバブル（ＵＦＢ）に分類される。なお、本発明における「微細気泡」とは、上記の気泡のうちマイクロバブル及びウルトラファインバブルをいうものとする。
【００１０】
上記微細気泡発生装置は、液体中に微細気泡を発生させる気泡発生手段を備える。ここで、気泡発生手段としては、例えば、旋回液流式、エジェクタ式、ベンチュリ式、加圧溶解式、超音波振動式、混合蒸気直接接触凝集式等の気泡発生手段を挙げることができる。なお、気泡発生手段は、上流側面及び下流側面を連通する多数の細孔を有し、細孔を介して上流側面から下流側面に向けて気体を通過させることにより、下流側面に接触する液体中に微細気泡を発生させる多孔体であることが好ましい。このようにすれば、気泡発生手段が比較的単純な構造となるため、液体中に微細気泡を発生させる構造を容易にかつ低コストで得ることができる。
【００１１】
なお、多孔体は、例えばセラミック材料からなることが好ましい。多孔体を構成するセラミック材料としては、例えば、アルミナ、窒化アルミニウム、窒化珪素、窒化ホウ素、ジルコニア、チタニア、ムライト、マグネシア、セリア、ドープセリア及びこれらの混合物などを挙げることができる。また、多孔体の形成材料としては、上記のようなセラミックのほか、例えばガラスや金属（ステンレス等）などを用いてもよく、導電性の有無を問わず材料を選択することができる。なお、これらのような無機材料だけではなく、例えば合成樹脂のような有機材料を用いることもできる。
【００１２】
さらに、上記微細気泡発生装置は、気泡発生手段によって微細気泡を発生させる期間内において、液体の温度を徐々に上昇させる昇温手段を備える。ここで、昇温手段としては特に限定されないが、例えば、処理槽内の液体の温度を上昇させるヒータであることが好ましい。このようにすれば、液体を昇温させる際の温度勾配を、昇温手段によって正確に制御することができる。また、昇温手段として、処理槽内に液体を供給するポンプを用いてもよい。この場合、ポンプの駆動時に発生する熱によって、液体の温度を上昇させることができる。
【００１３】
なお、昇温手段は、昇温時の温度勾配が１．９℃／時間以上１０℃／時間以下となる範囲内で液体の温度を上昇させることが好ましい。昇温時の温度勾配が１．９℃／時間以上になると、液体中の微細気泡を確実に増やすことができる。なお、昇温時の温度勾配が１０℃／時間よりも大きくなると、液体が気相の状態に変化しやすくなるため、液体の量が減少し、ひいては、液体中の微細気泡も減少する虞がある。つまり、液体中に微細気泡を確実に発生させるためには、昇温手段は、液体の温度が液相の状態を維持する温度であるときに液体の温度を上昇させることがよい。
【００１４】
上記課題を解決するための別の手段（手段２）としては、上記手段１に記載の微細気泡発生装置を用いて微細気泡を発生させる方法であって、前記気泡発生手段によって前記液体中に前記微細気泡を発生させる微細気泡発生工程を含み、前記微細気泡発生工程中に、前記昇温手段によって前記液体の温度を徐々に上昇させる昇温工程を行うことを特徴とする微細気泡の発生方法がある。
【００１５】
従って、手段２に記載の発明によると、気泡発生手段が微細気泡を発生させる微細気泡発生工程中に、昇温手段によって液体の温度を徐々に上昇させる昇温工程を行うことにより、液体における気体の溶解度が低下し、気体が液体中に気泡として析出すると推測されるため、多量の微細気泡を効率良く発生させることができる。また、微細気泡発生工程中に、液体の温度のみを管理すればよく、微細気泡となる気体の温度は管理しなくても済むため、微細気泡を容易に発生させることができる。
【００１６】
なお、微細気泡発生工程において発生した微細気泡の直径は１μｍ未満であることが好ましい。このようにすれば、微細気泡として、直径１μｍ未満のウルトラファインバブルを発生させやすくなる。
【００１７】
上記課題を解決するためのさらに別の手段（手段３）としては、上記手段１に記載の微細気泡発生装置と、前記処理槽内の前記液体の温度を測定する温度センサと、前記温度センサによって測定された前記温度に基づいて、前記液体を昇温させる際の温度勾配が特定の範囲内となるように前記昇温手段を制御する温度制御手段とを備えることを特徴とする微細気泡発生システムがある。
【００１８】
従って、手段３に記載の発明によると、微細気泡発生装置の気泡発生手段が微細気泡を発生させる期間内において、微細気泡発生装置の昇温手段が液体の温度を徐々に上昇させることにより、液体における気体の溶解度が低下し、気体が液体中に気泡として析出すると推測されるため、多量の微細気泡を効率良く発生させることができる。また、微細気泡を発生させる際に、温度制御手段によって液体の温度のみを管理すればよく、微細気泡となる気体の温度は管理しなくても済むため、微細気泡を容易に発生させることができる。さらに、温度制御手段は、温度センサによって測定された液体の温度に基づいて昇温手段を制御するため、微細気泡を確実に発生させることができる。
【図面の簡単な説明】
【００１９】
【図１】本実施形態における微細気泡発生システムを示す概略構成図。
【図２】多孔体を示す拡大断面図。
【図３】低温一定、高温一定、温度上昇の条件下におけるＵＦＢ濃度の値を示すグラフ。
【図４】実施例１，２、比較例１，２におけるＵＦＢ濃度の値を示すグラフ。
【発明を実施するための形態】
【００２０】
以下、本発明を具体化した一実施形態を図面に基づき詳細に説明する。
【００２１】
図１に示されるように、本実施形態の微細気泡発生システム１は、微細気泡発生装置１０を備えている。微細気泡発生装置１０は、処理槽１１内の純水Ｗ１（液体）中に気体Ｗ２（本実施形態では窒素）を供給して直径１μｍ以下の微細気泡Ｗ３であるＵＦＢを発生させることにより、純水Ｗ１内に収容された半導体を洗浄する装置である。処理槽１１は、ステンレス板を用いて略円筒状に形成されており、天井板１２、底板１３及び側板１４を備えている。
【００２２】
図１，図２に示されるように、微細気泡発生装置１０は、純水Ｗ１中に微細気泡Ｗ３を発生させる多孔体２１（気泡発生手段）を備えている。多孔体２１は、第１端（図１では下端）及び第２端（図１では上端）の両方において開口し、長さ３００ｍｍ、外径１２ｍｍ、内径９ｍｍ、厚さ１．５ｍｍの中空円筒状を成す部材である。詳述すると、多孔体２１は、第１端面２２側が接着剤（図示略）を介して処理槽１１の底板１３に取り付けられている。なお、底板１３には、同底板１３の中央部を貫通する貫通孔１５が設けられており、貫通孔１５は多孔体２１の内部空間に連通している。貫通孔１５の内径は、多孔体２１の内径（９ｍｍ）よりも小さくなっている。一方、多孔体２１の第２端側開口は、円板状の蓋部１６によって塞がれている。蓋部１６は、接着剤（図示略）を介して多孔体２１の第２端面２３に取り付けられている。また、蓋部１６は、ステンレスなどの金属材料を用いて形成されている。
【００２３】
図１，図２に示されるように、多孔体２１は、上流側面２４（内側面）と、上流側面２４の反対側に位置する下流側面２５（外側面）とを有している。なお、多孔体２１は、上流側面２４と下流側面２５との間で気体Ｗ２を透過しうる性質を有する多孔質のセラミック材料（本実施形態ではアルミナ（Ａｌ２Ｏ３））を用いて形成されている。
【００２４】
図２に示されるように、多孔体２１は、上流側面２４及び下流側面２５を連通する多数の細孔２６を内部に有することから、好適な気体透過性を有している。多孔体２１は、細孔２６を介して上流側面２４から下流側面２５に向けて気体Ｗ２を通過させることにより、下流側面２５に接触する純水Ｗ１中に微細気泡Ｗ３を発生させるようになっている。なお、多孔体２１は、アルミナによって形成された微粒子２７を含む部材である。また、本実施形態では、細孔２６の孔径Ａ１が１５００ｎｍとなっている。
【００２５】
そして、図１に示されるように、微細気泡発生装置１０は、処理槽１１内の純水Ｗ１の温度を上昇させる昇温手段であるヒータ３１を備えている。本実施形態のヒータ３１は、側板１４の外周面の中央部分を覆うように処理槽１１に巻き付けられた電熱ヒータ（具体的にはラバーヒータ）である。また、ヒータ３１は、多孔体２１によって微細気泡Ｗ３を発生させる期間内において、純水Ｗ１の温度を徐々に上昇させるようになっている。詳述すると、ヒータ３１は、純水Ｗ１の温度が液相の状態を維持する温度であるときに、昇温時の温度勾配が５℃／時間となるように純水Ｗ１の温度を上昇させる。
【００２６】
図１に示されるように、微細気泡発生システム１は、処理槽１１内に温度センサ４１を有している。温度センサ４１は、処理槽１１内の純水Ｗ１の温度を測定して、ＣＰＵ６１に温度検出信号を出力するようになっている。
【００２７】
また、処理槽１１には、気体供給源５１（窒素ボンベ）から多孔体２１の内部空間に気体Ｗ２を供給する気体供給流路５２が接続されている。気体供給流路５２上には電磁弁５３が設置されている。電磁弁５３は、気体供給源５１の下流側に配置されており、気体供給流路５２を開状態または閉状態に切り替えるようになっている。そして、電磁弁５３は、開状態に切り替えられた際に、気体Ｗ２を多孔体２１の内部空間に供給可能とする。
【００２８】
次に、微細気泡発生システム１の電気的構成について説明する。
【００２９】
図１に示されるように、微細気泡発生システム１は、設備全体を統括的に制御するための制御装置６０を備えている。制御装置６０は、ＣＰＵ６１、ＲＯＭ６２、ＲＡＭ６３及び入出力回路等により構成されている。ＣＰＵ６１は、ヒータ３１及び電磁弁５３に電気的に接続されており、各種の駆動信号によってそれらを制御する。また、ＣＰＵ６１には、温度センサ４１から出力された温度検出信号が入力されるようになっている。
【００３０】
次に、微細気泡Ｗ３の発生方法を説明する。
【００３１】
まず、微細気泡発生工程において、ＣＰＵ６１は、多孔体２１によって、処理槽１１内の純水Ｗ１中に微細気泡Ｗ３を発生させる制御を行う。具体的に言うと、ＣＰＵ６１は、電磁弁５３に駆動信号を出力して、電磁弁５３を開状態に切り替える。その結果、気体Ｗ２が、気体供給源５１から気体供給流路５２を通過して多孔体２１の内部空間に供給される。なお、気体Ｗ２は、所定の圧力（本実施形態では０．１７ＭＰａＧ）に加圧した状態で多孔体２１の上流側面２４（内側面）に接触する。このとき、気体Ｗ２は、多孔体２１が有する細孔２６を介して上流側面２４から下流側面２５に向けて通過する。その結果、気体Ｗ２が、細孔２６の下流側面２５側開口から下流側面２５に接触する純水Ｗ１内に放出されて微細気泡Ｗ３となる。なお、この時点で発生する微細気泡Ｗ３は、直径が１μｍ未満の気泡であるウルトラファインバブル（ＵＦＢ）となる。
【００３２】
また、本実施形態では、微細気泡発生工程中に、ヒータ３１によって純水Ｗ１の温度を徐々に上昇させる昇温工程を行う。具体的に言うと、ＣＰＵ６１は、ヒータ３１に駆動信号を出力して、ヒータ３１を加熱させる制御を行う。また、ＣＰＵ６１は、微細気泡Ｗ３を発生させる期間内（本実施形態では１８０分（＝３時間））において、純水Ｗ１の温度が２５℃から４０℃に上昇するようにヒータ３１を加熱させる制御を行う。即ち、本実施形態では、純水Ｗ１を昇温させる際の温度勾配が５℃／時間となる。
【００３３】
さらに、ＣＰＵ６１は、温度センサ４１から出力された温度検出信号に含まれる温度情報（純水Ｗ１の温度を示す情報）に基づいて、純水Ｗ１を昇温させる際の温度勾配が例えば２℃／時間以上１０℃／時間以下の範囲内となるようにヒータ３１を制御する。即ち、ＣＰＵ６１は、温度制御手段としての機能を有している。例えば、ＣＰＵ６１は、微細気泡発生工程の開始（電磁弁５３の開状態への切り替え）から１時間経過した時点で、温度情報が示す純水Ｗ１の温度が２７℃以上（即ち、温度勾配が２℃／時間以上）であるか否かを判定する。純水Ｗ１の温度が２７℃以上であると判定された場合、ＣＰＵ６１は、ヒータ３１の出力をそのまま維持させる制御を行う。一方、純水Ｗ１の温度が２７℃未満（即ち、温度勾配が２℃／時間未満）であると判定された場合、ＣＰＵ６１は、ヒータ３１に駆動信号を出力して、ヒータ３１の出力を上昇させる制御を行う。その結果、微細気泡Ｗ３の発生量が増大する。
【００３４】
また、ＣＰＵ６１は、微細気泡発生工程の開始から１時間経過した時点で、温度情報が示す純水Ｗ１の温度が３５℃よりも高い（即ち、温度勾配が１０℃／時間よりも高い）か否かを判定する。純水Ｗ１の温度が３５℃よりも高いと判定された場合、ＣＰＵ６１は、ヒータ３１に駆動信号を出力して、ヒータ３１の出力を低下させる制御を行う。一方、純水Ｗ１の温度が３５℃以下（即ち、温度勾配が１０℃／時間以下）であると判定された場合、ＣＰＵ６１は、ヒータ３１の出力をそのまま維持させる制御を行う。
【００３５】
次に、微細気泡発生装置１０の製造方法を説明する。
【００３６】
まず、多孔体２１を押出成形により作製する。具体的には、平均粒径が５．５μｍのアルミナ粉末に対して有機バインダーや水等を添加した後、ミキサーで混合、混錬することにより、粘土状の押出成形用秤土を得る。次に、押出成形機を用いて押出成形用秤土の成形を行い、多孔体２１の前駆体を得る。そして、成形した前駆体を乾燥することにより、多孔体２１の形状（即ち円筒状）と同じ形状の成形体を得る。その後、成形体を脱脂し、大気雰囲気下にて１５００℃で焼成することにより、多孔体２１を得る。
【００３７】
そして、接着剤を用いて、多孔体２１の第２端面２３側に蓋部１６を接着する。次に、多孔体２１を処理槽１１内に挿入し、接着剤を用いて、処理槽１１の底板１３上に多孔体２１の第１端面２２側を接着する。また、処理槽１１の外周面にヒータ３１を巻き付ける。なお、この時点で、微細気泡発生装置１０が完成する。
【００３８】
次に、微細気泡発生装置の評価方法及びその結果を説明する。
【００３９】
まず、本実施形態の多孔体２１と同じ多孔体を準備し、これを測定用サンプルとした。次に、測定用サンプルに対する気泡発生試験を行った。具体的には、まず、純水をポンプにより循環させた処理槽（図示略）内に、第２端側開口を閉塞した多孔体を収容した。次に、多孔体の第１端側開口から内部空間に対して、圧力０．１７ＭＰａＧの気体（ここでは窒素）を導入し、導入した気体を、多孔体を透過させて純水内に放出させることにより、微細気泡を発生させた。なお、微細気泡の発生は、冷却チラー、ヒータ、ポンプの発熱を利用し、純水の温度が２１℃（低温一定）、４０℃（高温一定）、２５℃→４０℃に上昇（温度上昇）となる条件下で、それぞれ１８０分行った。そして、Malvern Panalytical 社製  商品名  ナノサイト（ＮＳ−３００）を用いて、各条件下で微細気泡を発生させた際のＵＦＢ濃度（ｐｃ／ｍｌ：ここでは、直径が１００ｎｍ程度の気泡の濃度）を測定した。以上の結果を図３に示す。
【００４０】
その結果、純水の温度を一定にする場合には、「低温一定」及び「高温一定」のいずれの条件下であっても、ＵＦＢ濃度が１．０Ｅ＋０７（ｐｃ／ｍｌ）と１．０Ｅ＋０８（ｐｃ／ｍｌ）との間であることが確認された。一方、純水の温度を上昇させる場合（「温度上昇」の場合）には、ＵＦＢ濃度が１．０Ｅ＋０８（ｐｃ／ｍｌ）と１．０Ｅ＋０９（ｐｃ／ｍｌ）との間となり、純水の温度を一定にする場合よりも高い数値となることが確認された。以上のことから、微細気泡の発生中に純水の温度を上昇させれば、より多くのＵＦＢが発生することが証明された。即ち、温度を上昇させた際に、飽和窒素濃度が低下して気体が純水中に気泡として析出した結果、ＵＦＢ濃度が上昇したものと考えられる。
【００４１】
ところが、処理槽内の純水は、ポンプ（図示略）によって循環されるものであるため、ＵＦＢ濃度は、ポンプの泡噛みに起因するキャビテーションの影響を受けている可能性もある。そこで、純水の循環を停止した状態で、温度勾配とＵＦＢ濃度との関係を確認した。
【００４２】
具体的には、まず、細孔の孔径が１５００ｎｍ、外径が３０ｍｍとなる円柱状の多孔体に対して、多孔体の軸方向に沿って延びる３７個の貫通孔（孔径３ｍｍ）を形成してなるアルミナ製の多孔体を準備した。次に、準備した多孔体を処理槽内に挿入し、かつ処理槽の外側にラバーヒータ（アズワン株式会社製）を巻き付けた。そして、各貫通孔内に圧力０．３ＭＰａＧの気体（ここでは窒素）を導入し、導入した気体を、多孔体を透過させて純水内に放出させることにより、微細気泡を発生させた。また、微細気泡を発生させる期間（ここでは３時間）内において、ラバーヒータを駆動して純水の温度を徐々に上昇させた。ここで、ラバーヒータの設定温度を５０℃にして純水の温度を２０℃→３３．１℃に上昇させたもの（即ち、温度勾配が約４．４℃／時間となるもの）を実施例１とし、ラバーヒータの設定温度を１００℃にして純水の温度を２０℃→５１℃に上昇させたもの（即ち、温度勾配が約１０℃／時間となるもの）を実施例２とした。
【００４３】
また、実施例１，２に用いた多孔体と同じ多孔体を準備し、準備した多孔体を処理槽内に挿入した。次に、多孔体の各貫通孔内に圧力０．３ＭＰａＧの気体を導入し、導入した気体を、多孔体を透過させて純水内に放出させることにより、微細気泡を発生させた。そして、微細気泡を発生させる期間内において、純水の温度を一定（２０℃）とし、これを比較例１とした。また、微細気泡を発生させる前の状態にある純水（原水）を準備し、これを比較例２とした。
【００４４】
次に、実施例１，２、比較例１，２に対して、ナノサイト（ＮＳ−３００）によるＵＦＢ濃度の測定を行った。以上の結果を図４に示す。その結果、微細気泡を発生させていない比較例２では、ＵＦＢ濃度が１．０Ｅ＋０６（ｐｃ／ｍｌ）程度と低いため、純水中にＵＦＢがあまり発生していないことが確認された。なお、純水の温度を一定にした状態で微細気泡を発生させた比較例１では、ＵＦＢ濃度が１．０Ｅ＋０７（ｐｃ／ｍｌ）と１．０Ｅ＋０８（ｐｃ／ｍｌ）との間であることが確認された。一方、純水の温度を上昇させながら微細気泡を発生させた実施例１，２では、ＵＦＢ濃度が１．０Ｅ＋０８（ｐｃ／ｍｌ）よりも高くなり、純水の温度を一定にする場合よりも高い数値となることが確認された。よって、この場合も、微細気泡の発生中に純水の温度を上昇させれば、より多くのＵＦＢが発生することが証明された。
【００４５】
従って、本実施形態によれば以下の効果を得ることができる。
【００４６】
（１）本実施形態の微細気泡発生装置１０では、多孔体２１が微細気泡Ｗ３を発生させる期間内において、ヒータ３１が純水Ｗ１の温度を徐々に上昇させることにより、純水Ｗ１における気体Ｗ２の溶解度が低下し、気体Ｗ２が純水Ｗ１中に気泡として析出すると推測されるため、多量の微細気泡Ｗ３を効率良く発生させることができる。また、微細気泡Ｗ３を発生させる際に、純水Ｗ１の温度のみを管理すればよく、微細気泡Ｗ３となる気体Ｗ２の温度は管理しなくても済むため、微細気泡Ｗ３を容易に発生させることができる。
【００４７】
（２）本実施形態では、気体Ｗ２が加圧した状態で多孔体２１内に供給されるため、気体Ｗ２が多孔体２１の細孔２６を詰まることなく通過する。従って、純水Ｗ１中に微細気泡Ｗ３をより効率良く発生させることができる。また、多孔体２１内は、気体Ｗ２によって加圧された状態にあるため、処理槽１１内の純水Ｗ１が細孔２６を通過して多孔体２１内に浸入する等の問題を解消することができる。
【００４８】
なお、上記実施形態を以下のように変更してもよい。
【００４９】
・上記実施形態の多孔体２１は、円筒状を成していたが、矩形筒状、楕円筒状、三角筒状等の他の筒状を成していてもよい。また、多孔体は、筒状に限定される訳ではなく、円板状や平板状等の他の形状を成していてもよい。
【００５０】
・上記実施形態では、多孔体２１を透過して純水Ｗ１に導入される気体Ｗ２として窒素を用いたが、例えば、空気、酸素、アルゴン等の他の気体を用いてもよい。
【００５１】
・上記実施形態では、処理槽１１内の液体として純水Ｗ１を用いたが、これに限定される訳ではなく、純度がそれほど高くない水、例えば水道水などを用いても勿論よい。
【００５２】
・上記実施形態の処理槽１１は、ステンレス板を用いて略円筒状に形成されていた。しかし、処理槽１１は、ガラス容器や、ポリ塩化ビニルからなるパイプ（塩ビパイプ）を用いて形成されていてもよい。
【００５３】
・上記実施形態の温度センサ４１は処理槽１１内に設けられていた。しかし、処理槽１１内の純水Ｗ１の温度を測定する機能を有しているのであれば、温度センサ４１は、ヒータ３１（図１参照）などの他の位置に設けられていてもよい。
【００５４】
・上記実施形態の微細気泡発生装置１０は、半導体の洗浄に用いられていたが、例えば、食品や医療器具等の洗浄に用いてもよい。また、微細気泡発生装置１０は、微細気泡Ｗ３を発生させるものであればよく、洗浄を行うものでなくてもよい。例えば、微細気泡発生装置１０は、農作物の成長促進に用いられるものであってもよい。
【００５５】
次に、特許請求の範囲に記載された技術的思想のほかに、前述した実施形態によって把握される技術的思想を以下に列挙する。
【００５６】
（１）上記手段１において、前記液体は純水であることを特徴とする微細気泡発生装置。
【００５７】
（２）上記手段１において、前記気泡発生手段は、上流側面及び下流側面を連通する多数の細孔を有し、前記細孔を介して前記上流側面から前記下流側面に向けて気体を通過させることにより、前記下流側面に接触する前記液体中に前記微細気泡を発生させる多孔体であり、前記気体は窒素であることを特徴とする微細気泡発生装置。
【００５８】
（３）技術的思想（２）において、前記多孔体がセラミック材料からなることを特徴とする微細気泡発生装置。
【００５９】
（４）上記手段１において、前記昇温手段は、前記処理槽内の前記液体の温度を上昇させるヒータであり、前記ヒータは電熱ヒータであることを特徴とする微細気泡発生装置。
【００６０】
（５）上記手段２において、前記気泡発生手段は、上流側面及び下流側面を連通する多数の細孔を有し、前記細孔を介して前記上流側面から前記下流側面に向けて気体を通過させることにより、前記下流側面に接触する前記液体中に前記微細気泡を発生させる多孔体であり、前記微細気泡発生工程では、前記多孔体の前記上流側面に前記気体を加圧した状態で接触させることを特徴とする微細気泡の発生方法。
【符号の説明】
【００６１】
１…微細気泡発生システム
１０…微細気泡発生装置
１１…処理槽
２１…気泡発生手段としての多孔体
２４…上流側面
２５…下流側面
２６…細孔
３１…昇温手段としてのヒータ
４１…温度センサ
６１…温度制御手段としてのＣＰＵ
Ｗ１…液体としての純水
Ｗ２…気体
Ｗ３…微細気泡
【図１】
2020025912.tif 000003
【図２】
2020025912.tif 000004
【図３】
2020025912.tif 000005
【図４】
2020025912.tif 000006